(57)【特許請求の範囲】
【請求項１】
遊技客が遊技機での遊技により獲得した遊技媒体を計数する計数手段と、
前記計数手段により計数された遊技媒体数を記録した記録媒体を発行する記録媒体発行手段と、
前記記録媒体に記録された遊技媒体数、及び景品毎に設定された交換単価に基づいて、交換可能な景品数を算出する景品数算出手段と、を備えた遊技店における景品交換システムにおいて、
遊技媒体を対価として遊技客に商品を提供するワゴンサービスにより獲得した遊技媒体であることを示すワゴン情報を前記記録媒体発行手段に対して入力するためのワゴン情報入力手段と、
前記ワゴンサービスの担当者がワゴンサービスの対価として獲得した遊技媒体を景品と交換する際のワゴン用交換単価と、遊技客が獲得した遊技媒体を景品と交換する際の通常交換単価と、を設定する単価設定手段と、を備え、
前記記録媒体発行手段は、前記ワゴン情報入力手段により前記ワゴン情報が入力されたときは、当該ワゴン情報を記録したワゴン用記録媒体を発行する一方、当該ワゴン情報が入力されなかったときは、通常記録媒体を発行し、
前記景品数算出手段は、前記ワゴン用記録媒体に記録された遊技媒体数、及び前記単価設定手段により設定されたワゴン用交換単価に基づいて、ワゴンサービスの担当者が交換可能な景品数を算出するとともに、前記通常記録媒体に記録された遊技媒体数、及び前記単価設定手段により設定された通常交換単価に基づいて、遊技客が交換可能な景品数を算出することを特徴とする景品交換システム。
【請求項２】
前記ワゴンサービスにより提供した商品の情報を記憶するワゴン情報記憶手段と、
前記ワゴン用記録媒体に記録された遊技媒体数と、前記ワゴン情報記憶手段に記憶されたワゴン情報とを対応付けた状態で出力するワゴン情報出力手段と、
を備えたことを特徴とする請求項１記載の景品交換システム。
【請求項３】
遊技客が遊技機での遊技により獲得した遊技媒体を計数する計数手段と、
遊技客のＩＤ情報を特定するＩＤ情報特定手段と、
前記計数手段により計数された遊技媒体数を、前記ＩＤ情報特定手段が特定した遊技客のＩＤ情報と対応付けた貯蓄情報として記憶する貯蓄情報記憶手段と、
前記貯蓄情報記憶手段により記憶された貯蓄情報が示す遊技媒体数、及び景品毎に設定された交換単価に基づいて、交換可能な景品数を算出する景品数算出手段と、を備えた遊技店における景品交換システムにおいて、
遊技媒体を対価として遊技客に商品を提供するワゴンサービスの担当者のＩＤ情報を特定するワゴンＩＤ情報特定手段と、
前記ワゴンサービスの担当者がワゴンサービスの対価として獲得した遊技媒体を景品と交換する際のワゴン用交換単価と、遊技客が獲得した遊技媒体を景品と交換する際の通常交換単価と、を設定する単価設定手段と、を備え、
前記貯蓄情報記憶手段は、前記計数手段により計数された遊技媒体数を、前記ワゴンＩＤ情報特定手段が特定したＩＤ情報と対応付けたワゴン貯蓄情報として記憶可能であり、
前記景品数算出手段は、前記ワゴン貯蓄情報により示される遊技媒体数、及び前記単価設定手段により設定されたワゴン用交換単価に基づいて、ワゴンサービスの担当者が交換可能な景品数を算出するとともに、前記通常記録媒体に記録された遊技媒体数、及び前記単価設定手段により設定された通常交換単価に基づいて、遊技客が交換可能な景品数を算出することを特徴とする景品交換システム。
【発明の詳細な説明】
【技術分野】
【０００１】
本発明は、遊技媒体を対価として商品を提供する景品交換システムに関する。
【背景技術】
【０００２】
従来の遊技店においては、遊技媒体を対価として遊技客に飲食物などの商品を提供する所謂ワゴンサービスを実施することが一般的になっている。このようなワゴンサービスは、ワゴンサービス会社が遊技店に所謂場代を支払うことによって遊技店内でサービスを実施しているという運営形態が多く、ワゴンサービスを効率化するためのシステムが開示されている（例えば、特許文献１参照）。
【先行技術文献】
【特許文献】
【０００３】
【特許文献１】特開２００７−１９００５６号公報
【発明の概要】
【発明が解決しようとする課題】
【０００４】
しかしながら、従来のワゴンサービスの運営形態では、一旦換金して得た売上金から上述した場代を支払う、或いは、後日別途決済するなどの手間がかかり、遊技店及びワゴンサービス会社の双方にとって効率が悪かった。一方、ワゴンサービスに対して一定額の場代を徴収すると、ワゴンサービスが利用されないにも関わらず場代だけが徴収され、ワゴンサービス会社が不合理に感じることもあった。
【０００５】
本発明は上記事情に鑑みてなされたもので、その目的は、遊技店側が簡便且つ合理的な手段によってワゴンサービス会社から場代を徴収することが可能な景品交換システムを提供することにある。
【課題を解決するための手段】
【０００６】
請求項１に記載した発明は、遊技客が遊技機での遊技により獲得した遊技媒体を計数する計数手段と、前記計数手段により計数された遊技媒体数を記録した記録媒体を発行する記録媒体発行手段と、前記記録媒体に記録された遊技媒体数、及び景品毎に設定された交換単価に基づいて、交換可能な景品数を算出する景品数算出手段と、を備えた遊技店における景品交換システムにおいて、遊技媒体を対価として遊技客に商品を提供するワゴンサービスにより獲得した遊技媒体であることを示すワゴン情報を前記記録媒体発行手段に対して入力するためのワゴン情報入力手段と、前記ワゴンサービスの担当者がワゴンサービスの対価として獲得した遊技媒体を景品と交換する際のワゴン用交換単価と、遊技客が獲得した遊技媒体を景品と交換する際の通常交換単価と、を設定する単価設定手段と、を備え、前記記録媒体発行手段は、前記ワゴン情報入力手段により前記ワゴン情報が入力されたときは、当該ワゴン情報を記録したワゴン用記録媒体を発行する一方、当該ワゴン情報が入力されなかったときは、通常記録媒体を発行し、前記景品数算出手段は、前記ワゴン用記録媒体に記録された遊技媒体数、及び前記単価設定手段により設定されたワゴン用交換単価に基づいて、ワゴンサービスの担当者が交換可能な景品数を算出するとともに、前記通常記録媒体に記録された遊技媒体数、及び前記単価設定手段により設定された通常交換単価に基づいて、遊技客が交換可能な景品数を算出することを特徴とする。
【０００７】
請求項２に記載した発明は、前記ワゴンサービスにより提供した商品の情報を記憶するワゴン情報記憶手段と、前記ワゴン用記録媒体に記録された遊技媒体数と、前記ワゴン情報記憶手段に記憶されたワゴン情報とを対応付けた状態で出力するワゴン情報出力手段と、を備えたことを特徴とする。
【０００８】
請求項３に記載した発明は、遊技客が遊技機での遊技により獲得した遊技媒体を計数する計数手段と、遊技客のＩＤ情報を特定するＩＤ情報特定手段と、前記計数手段により計数された遊技媒体数を、前記ＩＤ情報特定手段が特定した遊技客のＩＤ情報と対応付けた貯蓄情報として記憶する貯蓄情報記憶手段と、前記貯蓄情報記憶手段により記憶された貯蓄情報が示す遊技媒体数、及び景品毎に設定された交換単価に基づいて、交換可能な景品数を算出する景品数算出手段と、を備えた遊技店における景品交換システムにおいて、遊技媒体を対価として遊技客に商品を提供するワゴンサービスの担当者のＩＤ情報を特定するワゴンＩＤ情報特定手段と、前記ワゴンサービスの担当者がワゴンサービスの対価として獲得した遊技媒体を景品と交換する際のワゴン用交換単価と、遊技客が獲得した遊技媒体を景品と交換する際の通常交換単価と、を設定する単価設定手段と、を備え、前記貯蓄情報記憶手段は、前記計数手段により計数された遊技媒体数を、前記ワゴンＩＤ情報特定手段が特定したＩＤ情報と対応付けたワゴン貯蓄情報として記憶可能であり、前記景品数算出手段は、前記ワゴン貯蓄情報により示される遊技媒体数、及び前記単価設定手段により設定されたワゴン用交換単価に基づいて、ワゴンサービスの担当者が交換可能な景品数を算出するとともに、前記通常記録媒体に記録された遊技媒体数、及び前記単価設定手段により設定された通常交換単価に基づいて、遊技客が交換可能な景品数を算出することを特徴とする。
【発明の効果】
【０００９】
請求項１の発明によれば、ワゴン情報入力手段によりワゴン情報が入力された場合にはワゴン用記録媒体を発行するので、ワゴンサービス専用の機器を設けることなく、従来の景品交換システムのプログラムを変更するだけで、ワゴンサービスの利用状況に応じて場代を徴収することが可能になり、ワゴンサービス会社と遊技店との間で特別な決済処理を行う必要もなく、非常に簡便且つ合理的に場代を徴収することができる。
【００１０】
請求項２の発明によれば、ワゴン用記録媒体に記録された遊技媒体数とワゴン情報記憶手段に記憶されたワゴン情報とを対応付けた状態で出力するので、ワゴンサービスの利用状況を容易に確認することができ、ワゴンサービス会社が適正に景品交換を行っているかどうかを把握することができる。
【００１１】
請求項３の発明によれば、遊技媒体を当日中に景品交換することなく一旦貯蓄し、後日景品交換できるシステム（所謂貯玉システム）を導入している遊技店においても、ワゴンサービスの利用状況に応じて場代を徴収することが可能になり、ワゴンサービス会社と遊技店との間で特別な決済処理を行う必要もなく、非常に簡便且つ合理的に場代を徴収することができる。
【図面の簡単な説明】
【００１２】
【図１】本発明の一実施形態による景品交換システムの構成を概略的に示す図
【図２】通常レシートを示す図
【図３】管理装置が記憶する特殊景品交換単価設定を示す図
【図４】ワゴンレシートを示す図
【発明を実施するための形態】
【００１３】
以下、本発明の一実施形態による景品交換システムについて、図面を参照しながら説明する。
図１は、景品交換システム１の全体構成を概略的に示している。遊技店内には、複数台の遊技機２が設置されており、各遊技機２に対応して貸出装置３が設置されている。これら遊技機２及び貸出装置３は、ＬＡＮ４を介して管理装置５に接続されている。尚、各遊技機２及び貸出装置３は、図示しない中継端末を介してＬＡＮ４に接続する構成であってもよい。また、遊技店内には、数百台の遊技機２が設置されている。
【００１４】
遊技機２は、所謂デジパチとして周知のパチンコ機、或いは所謂スロットマシンとして周知のパチスロ機などである。遊技機２としてのパチンコ機は、遊技客がパチンコ玉（遊技媒体）を盤面に発射してそのパチンコ玉が入賞口に入賞すると、その入賞に応じた数のパチンコ玉の払出し、或いは大当たり抽選などを行う。この大当たり抽選では、所謂特別図柄（特図）による図柄変動を実行し、停止表示された図柄が大当たり図柄の場合に大当たりが発生する。大当たりが発生すると、例えば１５ラウンド分だけ大入賞口が開放され、遊技客は払出されたパチンコ玉を獲得する。このため、大当たりの回数が多いほど、また、確率変動や時短状態が多いほど、遊技客は多くの出玉を獲得することができる。
【００１５】
遊技機２としてのパチスロ機は、遊技客がメダル（遊技媒体に相当）を投入してスタートレバーを操作すると、内部抽選を実行した後、例えば左リール、中リール、右リールの３つのリールを回転始動する。この状態で遊技客がストップボタンを操作すると、内部抽選の結果に応じて、所謂引込制御（すべり制御）を含む停止制御（各リールを内部当選役の種類に応じた入賞図柄又はハズレ図柄で停止表示させる制御）を実行する。このとき、有効ライン上に当選図柄が停止表示されると入賞となり、例えば所謂小役が入賞した場合には対応する枚数のメダルの払出し、或いはボーナス役が入賞した場合には、メダルを大量に獲得することができるボーナス状態が発生する。
【００１６】
貸出装置３は、貨幣を投入する貨幣投入口、会員カードを挿入するカード挿入口などを備えた所謂ＣＲユニットとして構成されている。貸出装置３は、ＣＰＵからなる制御部、ＲＡＭ及びＲＯＭからなる記憶部、信号を送受信するためのインターフェースからなる送受信部などを備えており、貨幣が投入された状態で遊技客により貸出釦が操作されると、払出単位の遊技媒体を遊技機２の受皿に払出す。このとき、払出した遊技媒体の数に応じた信号を管理装置５に出力する。尚、貸出装置３の上部には動作状態を示す動作ランプが設けられており、不具合が生じた場合などに点灯し、例えば遊技店の従業員に報知する。
【００１７】
このような遊技機側の装置（遊技機２、貸出装置３など）からは、遊技の進行に応じて、投入媒体数（打ち込んだパチンコ玉や投入したメダルの数）を特定可能なアウト信号、払出媒体数（払出されたパチンコ玉やメダルの数）を特定可能なセーフ信号、ボーナス状態を特定可能なボーナス信号（ボーナス状態中にレベル出力）などの各種の遊技信号が出力される。これら各遊技信号は、ＬＡＮ４を介して管理装置５に出力される。
【００１８】
管理装置５（ワゴン用単価設定手段、ワゴン情報記憶手段、ワゴン情報出力手段に相当）は、ＣＰＵからなる制御部、ＨＤＤ（ハードディスク装置）、ＲＡＭ、ＲＯＭからなる記憶部（ワゴン情報記憶手段に相当）、信号を送受信するためのインターフェースからなる送受信部、モニタ５ａ及び図示しないプリンタなどからなる出力部（ワゴン情報出力手段に相当）を備えている。管理装置５は、遊技店内の例えば事務所などに設置され、ＬＡＮ４を介して遊技機２側の装置と接続されており、遊技機２及び貸出装置３との間で情報を送受信し、受信した遊技信号に基づいて、周知の出玉率などの遊技情報を集計及び管理する。
【００１９】
計数機６（計数手段、記録媒体発行手段、ワゴン情報記憶手段に相当）は、複数の遊技機２が設置されている遊技機島毎に設けられた所謂島端計数機であり、遊技店内に複数設置されている。計数機６は、遊技客が遊技により獲得した獲得玉を受入する受入口６ａ、計数情報等の各種情報を表示すると共に従業員からの入力を受付ける入力受付機能を有するタッチパネル式の液晶表示部６ｂ、計数した遊技媒体数を特定可能な情報が印字されたレシート（記憶媒体、ワゴン用記録媒体に相当）を発行するレシート発行口６ｃ、従業員が所持するリモコン８からの操作信号を受光するリモコン受光部６ｄ等を備えて構成されている。
【００２０】
この計数機６は、ＣＰＵからなる制御部、ＣＦ（コンパクトフラッシュ（登録商標））、ＲＡＭ、ＲＯＭからなる記憶部（ワゴン情報記憶手段に相当）、信号を送受信するためのインターフェースからなる送受信部を備えている。計数機６は、例えばＲＯＭなどに記憶されている制御プログラムにしたがって動作し、遊技客が獲得した獲得媒体が受入口６ａから受入れられると、受入口６ａの奥に設けられている図示しない計数センサにより受入れた遊技媒体を計数し、計数を終了すると、獲得媒体数及び精算ボタンを液晶表示部６ｂに表示し、精算ボタンが押下された場合にレシート発行口６ｃからレシートを発行する。
【００２１】
図２は、遊技客により獲得された遊技媒体を記録した通常レシート１０（記録媒体に相当）を示している。通常レシート１０には、遊技店名Ｍ１（パーラー○○○）、発行時刻Ｍ２（２００９年８月２０日  １５：３０）、遊技客が獲得した遊技媒体数Ｍ３（１００００個）、景品数（４００個）、これらの情報がまとめて記号化されたバーコードＭ５が印字（記録）されている。尚、景品数Ｍ４は、景品１個が１００円に設定されている場合の個数である。
【００２２】
また、計数機６は、遊技店の従業員が携帯するリモコン８（ワゴン情報入力手段に相当）から各種の操作が入力可能に構成されている。リモコン８には、７セグ表示部及び複数のボタンが設けられており、従業員は任意の操作を計数機６に対して入力する。ボタンとしては、数値入力用のテンキーや、ワゴンサービスの担当者の遊技媒体を計数する時に押下する「ワゴン計数」ボタンなどが設けられている。従業員は、ワゴンサービス担当者の遊技媒体を計数するときには、「ワゴン計数」ボタンを押下することにより、ワゴンサービスにより獲得した遊技媒体であることを示すワゴン情報をワゴン計数信号として計数機６に送信する。このとき、リモコン８の７セグ表示部には、押下されたボタンの種類などの操作内容に関する情報が表示される。尚、ここでいうリモコン８は、従業員が通常の業務に利用するために携帯しているものを想定している。
【００２３】
ＰＯＳ端末７（景品数算出手段、ワゴン情報記憶手段に相当）は、遊技店内の景品交換カウンタに設置され、遊技店の従業員により操作される。ＰＯＳ端末７は、例えば遊技客が提出した通常レシート１０から計数値や景品情報を示すバーコードＭ５を図示しないスキャナで読み取り、対応する数の景品（例えば、特殊景品）の数を算出する。ＰＯＳ端末７は、表面にタッチパネルを有した液晶パネルより構成される表示部７ａ、及び各種の操作キーを有した操作パネル７ｂが備えられている。ＰＯＳ端末７の操作パネル７ｂには、複数種類の景品（例えば、タバコやチョコレートなど数十玉で交換可能な景品）を選択するための複数の景品ボタン、或いは、他の一般景品（数玉で交換可能な景品）を選択するための端玉ボタン、交換する景品を確定する交換ボタンなどが設けられている。
【００２４】
このような構成の景品交換システム１が設置された遊技店において、ワゴンサービスの担当者は、ドリンク類、軽食類或いはタバコなどの商品が準備されているワゴンサービスカウンタ９にて待機し、或いは遊技客のところまで出向いて注文をとり、その注文に応じて遊技媒体を対価として商品を提供する。ワゴンサービスの担当者は、例えば一日の営業が終了すると、獲得した遊技媒体をまとめて計数機６にて計数した後、ＰＯＳ端末７において特殊景品と交換する。尚、特殊景品は周知の買取所で買い取ってもらうことにより現金化することができる。
【００２５】
このとき、従来では、遊技客の交換単価で交換し、その後に場代を支払うなどの決済を行っていたのに対し、本実施形態では、通常の遊技により獲得された遊技媒体であるか、ワゴンサービスによって獲得された遊技媒体であるかによって、異なる交換単価で特殊景品の交換を行っている。
図３（ａ）は、管理装置５により設定及び記憶される特殊景品交換単価設定を示している。この特殊景品交換単価設定には、以下の項目が設定されている。
遊技玉＝パチンコ機に対する交換単価
遊技メダル＝パチスロ機に対する交換単価
【００２６】
また、特殊景品交換単価設定には、これら「遊技玉」及び「遊技メダル」に対して、遊技客が遊技により獲得した遊技媒体に対する交換単価である「通常」と、ワゴンサービスによる獲得した遊技媒体に対する交換単価である「ワゴン」が設定されている。図３の場合、遊技客が獲得した遊技媒体に対しては、パチンコ機では１玉が４円（「遊技玉」の「通常」）、パチスロ機であれば１メダルが２０円（「遊技メダル」の「通常」）に設定されている。一方、ワゴンサービスにより獲得された遊技媒体に対しては、パチンコ機では１玉が３円（「遊技玉」の「ワゴン」）、パチスロ機であれば１メダルが１５円（「遊技メダル」の「ワゴン」）に設定されている。つまり、ワゴンサービスにより獲得された遊技媒体に対する交換単価であるワゴン単価と、通常の遊技により獲得された遊技媒体に対する交換単価である通常単価との間には、ワゴン単価＝０．７５×通常単価の関係がある。尚、この特殊景品交換単価設定は、計数機６及びＰＯＳ端末７にも記憶され、管理装置５において設定値が変更された場合には、計数機６及びＰＯＳ端末７が記憶する特殊景品交換単価設定も変更される。
【００２７】
さて、ワゴンサービスの担当者がワゴンサービスにより獲得した遊技媒体、即ち、商品の対価として遊技客から受け取った遊技媒体を計数する場合、遊技店の従業員は、リモコン８を用いて、ワゴンサービスにより獲得された遊技媒体であることを示すワゴン情報を計数機６に送信する。ワゴン情報が入力された計数機６は、通常レシート１０の代わりに、ワゴンサービスにより獲得された遊技媒体数を記録したレシート（後述するワゴンレシート１１。ワゴン用記録媒体に相当）を発行する。この場合、ワゴンレシート１１の発行は、計数機６を新規に交換しなくとも、従来のプログラムを変更して印字内容を変更することにより可能になる。
【００２８】
図４は、ワゴンレシート１１を示している。ワゴンレシート１１には、通常レシート１０（図２参照）と同様に、遊技店名Ｍ１、発行時刻Ｍ２、遊技客が獲得した遊技媒体数Ｍ３（１００００玉）、景品数（３００玉）、これらの情報がまとめて記号化されたバーコードＭ５が記録されている。さらに、ワゴンレシート１１にはワゴンサービスに対して発行されたレシートであることを示すワゴンマークＭ６（図４では「◆ワゴン◆」）が記録されており、ＰＯＳ端末７の係員（遊技店の従業員）は、目視によりワゴンサービス用に発行されたレシートであることを認識できる。勿論、バーコードＭ５にもワゴンサービス用のレシートであることが記録されているので、ＰＯＳ端末７の操作時に通常と異なる作業が必要になることもない。
【００２９】
ワゴンサービスの担当者は、このワゴンレシート１１をＰＯＳ端末７にて特殊景品と交換することにより、ワゴンサービスによる売上金を得ることができる。このとき、ＰＯＳ端末７は、ワゴンレシート１１と特殊景品との交換を、図３（ａ）に示す特殊景品交換単価設定に設定された交換単価に基づいて行う。具体的には、図２に示す通常レシート１０又は図４に示すワゴンレシート１１のようにパチンコ玉を１００００玉交換する場合には、遊技客、ワゴンサービス会社及び遊技店がそれぞれ獲得する特殊景品（又は金額）は、以下の様になる。
【００３０】
遊技客            ：１００００玉×４円＝４００００円分の特殊景品を獲得
ワゴンサービス会社：１００００玉×３円＝３００００円分の特殊景品を獲得
遊技店            ：１００００玉×１円＝１００００円分を場代として徴収
このように、計数機６及びＰＯＳ端末７においてワゴンサービス用の交換単価に基づいてワゴンレシート１１を特殊景品と交換することにより、通常と何ら変わらない操作で、ワゴンサービス業者は場代を除く売上金を獲得でき、遊技店は場代を徴収することが可能になる。即ち、ワゴンサービス業者も遊技店も別途場代の徴収や決済をする必要がない。
【００３１】
以上説明した本実施形態の景品交換システム１によれば、次のような効果を奏する。
景品交換システム１では、計数機６は、リモコン８によりワゴン情報が入力された場合、通常レシート１０の代わりにワゴンレシート１１を発行する。このワゴンレシート１１にはワゴンサービスにより獲得した遊技媒体数などのワゴン情報が記録されており、特殊景品交換単価設定（図３参照）に設定されている交換単価に基づいて特殊景品との交換が行われる。このとき、ワゴンサービス用の交換単価には、場代として徴収する金額を除いた金額が設定されており、ワゴンサービスの担当者は、ワゴンレシート１１を用いて通常の景品交換を行うだけで、ワゴンサービスの売り上げに相当する数の特殊景品の獲得、及び遊技店への場代の支払いを同時に処理することができる。これにより、遊技店側は、ワゴンサービス専用の機器を設けることなく、従来の景品交換システムのプログラムを変更するだけで場代を徴収することが可能になる。したがって、ワゴンサービス会社と遊技店との間で特別な決済処理を行う必要もなく、非常に簡便に場代を徴収することができる。
【００３２】
特殊景品交換単価設定を１玉或いは１メダルに対して設定しているので、ワゴンサービスの売り上げに応じて、即ち、ワゴンサービスの利用状況に応じて場代として徴収する金額が増減する。これにより、ワゴンサービスが利用されないにも関わらず場代だけが徴収されるなどの不合理さをワゴンサービス会社が感じることがなくなり、合理的に場代を徴収することができる。
【００３３】
ワゴンレシート１１にワゴンサービスに対して発行されたレシートであることを示すワゴンマークＭ６を記録するようにしたので、ＰＯＳ端末７の係員は、目視によりワゴンサービス用に発行されたレシートであることを容易に認識できる。この場合、バーコードＭ５にもワゴンサービス用のレシートであることが記録されるので、ＰＯＳ端末７の操作時に通常と異なる作業が必要になることもない。
【００３４】
（その他の実施形態）
本発明は、上記実施形態に限定されることなく、次のように変形又は拡張できる。
ワゴンサービスカウンタ９にワゴンサービス用管理端末を設置し、遊技客から受けた注文データを入力して管理するようにしてもよい。注文データには、注文を受けた商品の情報及びその商品の対価となる遊技媒体数が含まれる。
【００３５】
ワゴンサービス用管理端末に入力された注文データを管理装置５へ送信し、管理装置５側でも注文データを管理することが可能である。
さらに、管理装置５側で注文データを管理する場合には、その注文データとワゴンレシート１１による景品交換データとに基づいて、注文を受けた商品の対価である遊技媒体数と、ワゴンレシート１１によって景品交換された遊技媒体数とを照合することが可能となる。この場合、モニタ５ａなどの出力手段に、ワゴンレシート１１に記録された遊技媒体数とワゴン情報とを対応付けて出力することにより、ワゴンサービス会社が確実且つ適正に景品交換を行っているかどうかの確認をすることができる。
【００３６】
特殊景品の交換単価として、図３（ａ）に示すように遊技玉及び遊技メダルそれぞれの単価を設定するようにしたが、単価の設定に代えて、図３（ｂ）に示すように特殊景品１個（１０００円相当）の交換遊技玉数及び遊技メダル数を設定するようにしてもよい。
一実施形態で示した交換単価などの数値は例示であり、これに限定されない。
【００３７】
計数機６にて計数した遊技媒体を当日中に景品交換することなく一旦貯蓄し、後日景品交換できるシステム（所謂貯玉システム）を導入するようにしてもよい。貯玉システムにおいては、遊技客毎に遊技媒体数を貯蓄するための口座が設けられ、遊技媒体を計数する際に遊技客のＩＤ情報を特定し、そのＩＤ情報に対応付けられた口座に遊技媒体数を貯蓄情報として、例えば管理装置５や外部に設置された記憶手段などに記憶することになる。この場合も同様に、ワゴンサービス会社の担当者が遊技媒体を計数した場合には、その遊技媒体数をワゴンサービスの担当者のＩＤ情報と対応付けてワゴン貯蓄情報として記憶し、その記憶された遊技媒体数を景品交換する際にワゴンサービス用の交換単価が適用されることになる。これにより、非常に簡便且つ合理的に場代を徴収することができる。
【符号の説明】
【００３８】
図面中、１は景品交換システム、２は遊技機、５は管理装置（ワゴン用単価設定手段、ワゴン情報記憶手段、ワゴン情報出力手段、貯蓄情報記憶手段）、６は計数機（計数手段、記録媒体発行手段、ワゴン情報記憶手段、ＩＤ情報特定手段、ワゴンＩＤ情報特定手段）、７はＰＯＳ端末（景品数算出手段、ワゴン情報記憶手段）、８はリモコン（ワゴン情報入力手段）を示す。
【図１】
0005491238.tif 000002
【図２】
0005491238.tif 000003
【図３】
0005491238.tif 000004
【図４】
0005491238.tif 000005